(57)【要約】      （修正有）【課題】電子装置のノイズ放射やノイズ侵入を抑制する。【解決手段】外部機器（接続ケーブル１６、電子機器１８）が接続されるコネクタ６を有する電子装置（携帯端末装置２−１）であって、内部回路８と前記コネクタとの間にスイッチ１０を備える。このスイッチ１０は、制御部１２により制御される。外部機器（電子機器１８）が非アクティブ状態である場合に、スイッチ１０により内部回路８から外部機器（接続ケーブル１６、電子機器１８）を切り離す。これにより、内部回路から外部機器に至るノイズ伝送経路２２が遮断される。【選択図】図１
2014146952.tif 000002
【特許請求の範囲】
【請求項１】
外部機器が接続されるコネクタを含む電子装置であって、
内部回路と前記コネクタとの間に挿入されたスイッチと、
前記コネクタに接続された前記外部機器が非アクティブ状態である場合に、前記スイッチの制御により前記内部回路から前記外部機器を切り離す制御部と、
を備えることを特徴とする電子装置。
【請求項２】
前記電子装置は、少なくとも電波受信部を含む携帯端末装置であることを特徴とする請求項１に記載の電子装置。
【請求項３】
前記外部機器は、接続ケーブルを含む電子機器であることを特徴とする請求項１または２に記載の電子装置。
【請求項４】
外部機器が接続されるコネクタを含む電子装置に搭載されるコンピュータに実行させるための制御プログラムであって、
前記外部機器が非アクティブ状態であるか否かを判定し、
前記外部機器が非アクティブ状態である場合に、スイッチにより内部回路から前記外部機器を切り離す
処理を前記コンピュータに実行させるための制御プログラム。
【請求項５】
外部機器が接続されるコネクタを含む電子装置の制御方法であって、
内部回路と前記コネクタとの間にスイッチを挿入し、
前記外部機器が非アクティブ状態であるか否かを判定し、
前記コネクタに接続された前記外部機器が非アクティブ状態である場合に、前記スイッチの制御により前記内部回路から前記外部機器を切り離す
ことを特徴とする電子装置の制御方法。
【発明の詳細な説明】
【技術分野】
【０００１】
本開示の技術は、外部機器が接続されるコネクタを備えた携帯端末装置を含む電子装置、その制御プログラムおよび制御方法に関する。
【背景技術】
【０００２】
電子装置としてたとえば、携帯端末装置には外部機器が接続されるコネクタを有する。外部機器には接続ケーブル、充電器、ＳＤ（Secure Digital）カード、ＰＣ（Personal Computer ）などの電子機器がある。たとえば、バッテリの充電には外部機器としてＡＣ（Alternating Current ）アダプタが用いられる。このＡＣアダプタは充電ケーブルにより携帯端末装置のコネクタに接続される。
【０００３】
この充電ケーブルに関し、充電ケーブルの一部にコイルを形成し、携帯端末装置の通信または受信の使用周波数で充電ケーブルを高インピーダンス化することが知られている（たとえば、特許文献１）。
【先行技術文献】
【特許文献】
【０００４】
【特許文献１】特開２００９−２５３６２９号公報
【発明の概要】
【発明が解決しようとする課題】
【０００５】
電子装置の一例である携帯端末装置のコネクタに外部機器が接続されると、携帯端末装置側にある内部回路でノイズが生じると、このノイズがコネクタや、接続ケーブルから放射される。図１７は、外部機器を接続した携帯端末装置１００を示している。
【０００６】
この携帯端末装置１００には外部機器接続用のコネクタ１０２が備えられている。このコネクタ１０２には、接続ケーブル１０４により電子機器１０６が接続されている。つまり、接続ケーブル１０４および電子機器１０６は携帯端末装置１００の外部機器である。携帯端末装置１００の内部ではコネクタ１０２に内部回路１０８が内部配線１１０により接続されている。携帯端末装置１００は無線通信部１１２を有し、この無線通信部１１２はアンテナ１１４を備えている。このアンテナ１１４は携帯端末装置１００の外部に露出している。
【０００７】
内部回路１０８から電子機器１０６には内部配線１１０、コネクタ１０２および接続ケーブル１０４により、ノイズ伝達経路１１６が形成される。内部回路１０８でノイズＮが生じると、このノイズＮはノイズ伝達経路１１６を経て電子機器１０６に至る。
【０００８】
内部配線１１０は基板のＧＮＤによりシールドされていれば、ノイズ放射が抑えられる。これに対し、ノイズ伝達経路１１６上のコネクタ１０２や接続ケーブル１０４はシールドされていない。このため、コネクタ１０２や接続ケーブル１０４の導体部がアンテナとして機能し、ノイズ放射Ｎ１、Ｎ２を生じる。ノイズ放射Ｎ１ではノイズＮがコネクタ１０２から無線通信部１１２に入り、また、ノイズ放射Ｎ２ではノイズＮがアンテナ１１４に入り、無線通信部１１２に至る。このようなノイズＮは無線通信部１１２に影響を与え、受信機能を劣化させるという課題がある。
【０００９】
電子機器１０６や接続ケーブル１０４の接続には従来、フェライトビーズやパスコンなどのノイズ対策部品が使用されている。しかし、電流や信号動作によっては使用できるノイズ対策部品が制限されるので、ノイズを十分に低減できないという課題がある。
【００１０】
このような放射ノイズに対し、外部ノイズの影響もある。接続ケーブル１０４に乗ったノイズは、コネクタ１０２から内部配線１１０を経て内部回路１０８に侵入し、信号処理の精度を劣化させるという課題がある。
【００１１】
そこで、本開示の技術は上記課題に鑑み、ノイズ放射やノイズ侵入を抑制することにある。
【課題を解決するための手段】
【００１２】
上記目的を達成するため、本開示の構成は、外部機器が接続されるコネクタを有する電子装置であって、内部回路とコネクタとの間にスイッチを備える。このスイッチは、制御部により制御される。外部機器が非アクティブ状態である場合に、スイッチにより内部回路から外部機器を切り離す。これにより、内部回路から外部機器に至るノイズ伝送経路が遮断される。
【発明の効果】
【００１３】
本開示の技術によれば、外部機器が非アクティブ状態にあるとき、コネクタ側のノイズ伝達経路が遮断されるので、ノイズの放射や侵入を抑制でき、ノイズによる影響を低減できる。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る携帯端末装置を示す図である。
【図２】スイッチ制御の処理手順を示すフローチャートである。
【図３】第２の実施の形態に係る携帯端末装置を示す図である。
【図４】制御部の構成例を示す図である。
【図５】電源ノイズを遮断する構成例を示す図である。
【図６】スイッチ回路の構成例を示す図である。
【図７】スイッチ制御の処理手順を示すフローチャートである。
【図８】クロックノイズを遮断する構成例を示す図である。
【図９】スイッチの構成例を示す図である。
【図１０】スイッチ制御の処理手順を示すフローチャートである。
【図１１】電源ノイズを遮断する構成例を示す図である。
【図１２】スイッチの構成例を示す図である。
【図１３】ＵＳＢ通信のスイッチ制御の処理手順を示すフローチャートである。
【図１４】ＵＳＢ充電のスイッチ制御の処理手順を示すフローチャートである。
【図１５】他の実施の形態を示す図である。
【図１６】他の実施の形態を示す図である。
【図１７】携帯端末装置からのノイズ放射を示す図である。
【発明を実施するための形態】
【００１６】
〔第１の実施の形態〕
【００１７】
図１は、第１の実施の形態に係る携帯端末装置２−１を示している。この携帯端末装置２−１は本開示の電子装置の一例である。この携帯端末装置２−１では、無線通信部４、コネクタ６、内部回路８、スイッチ１０および制御部１２が含まれる。
【００１８】
無線通信部４は電波受信部の一例である。この無線通信部４ではアンテナ１４を備え、送信部や受信部が含まれ、基地局との無線通信などに用いられる。送信部はアンテナ１４から無線信号を送信する。受信部は、アンテナ１４を通して無線信号を受信し、その無線信号から音声信号やパケット信号を再生する。
【００１９】
コネクタ６は携帯端末装置２−１の装置内回路と装置外回路とを接続する。このコネクタ６の接続はたとえば、プラグの挿抜により行われる。このコネクタ６には接続ケーブル１６により電子機器１８が接続される。携帯端末装置２−１に対し、接続ケーブル１６および電子機器１８は外部機器である。電子機器１８はたとえば、ＡＣアダプタ、ＳＤカードなどの電子機器である。
【００２０】
コネクタ６には内部回路８が内部配線２０により接続され、この内部配線２０にはスイッチ１０が介挿されている。内部回路８は装置内回路の一例であり、たとえば、電源部や、電子機器１８の制御部や、信号処理部などの回路である。内部配線２０は携帯端末装置２−１内に設置されるたとえば、回路基板上の導体配線であり、導体パターンであってもよいし、シールド導体であってもよい。
【００２１】
スイッチ１０はたとえば、電子スイッチであり、制御部１２により制御される。制御部１２には制御プログラムを実行するたとえば、プロセッサが含まれる。この制御部１２では、コネクタ６に接続されている電子機器１８がアクティブ状態か非アクティブ状態かを検知し、スイッチ１０の制御信号を生成する。アクティブ状態とはたとえば、使用状態であり、非アクティブ状態はたとえば、使用停止状態である。電子機器１８が非アクティブ状態にあるとき、スイッチ１０は遮断状態に制御される。この遮断状態はたとえば、内部回路８から電子機器１８が切り離され、信号の伝達を阻止する状態（ＯＦＦ状態）である。つまり、スイッチ１０がＯＦＦ状態にあれば、ノイズ伝達経路２２が遮断状態になる。
【００２２】
斯かる構成によれば、コネクタ６に接続された電子機器１８が非アクティブ状態にあれば、制御部１２によりスイッチ１０が遮断状態に制御される。これにより、電子機器１８および接続ケーブル１６が内部回路８から切り離され、ノイズ伝達経路２２が遮断状態に切替えられる。このような遮断状態が形成されると、内部回路８にノイズＮが生じても、スイッチ１０により切り離されたコネクタ６や接続ケーブル１６へのノイズ流失を阻止することができ、ノイズ放射が防止される。したがって、無線通信部４に接続されているアンテナ１４に内部回路８側からのノイズＮの伝達を防止できる。
【００２３】
また、内部回路８からコネクタ６および接続ケーブル１６が切り離されているので、外部からのノイズＮが内部回路８に侵入することを防止でき、信号処理などへのノイズの影響を回避できる。
【００２４】
図２は、スイッチ制御の処理手順を示している。この処理手順は、本開示の制御プログラムまたは制御方法の一例である。
【００２５】
この処理手順では、電子機器１８の動作状態を監視する（Ｓ１１）。この動作状態の監視では、電子機器１８が非アクティブ状態か否かを判断する（Ｓ１２）。電子機器１８が非アクティブ状態でなければ（Ｓ１２のＮＯ）、動作状態の監視を継続する。電子機器１８が非アクティブ状態であれば（Ｓ１２のＹＥＳ）、スイッチ１０をＯＦＦ状態にし（Ｓ１３）、この処理を終了する。
【００２６】
スイッチ１０がＯＦＦ状態となると、内部回路８からコネクタ６、接続ケーブル１６および電子機器１８が切り離され、ノイズ伝達経路２２が遮断状態となる。これにより、ノイズ放射が解除される。
【００２７】
＜第１の実施の形態の効果＞
【００２８】
(1) 以上の構成によれば、電子機器１８が非アクティブ状態にあれば、スイッチ１０により内部配線２０を切断し、内部配線２０からコネクタ６や接続ケーブル１６などのノイズ放射源を切り離すことができる。ノイズ伝達経路２２がスイッチ１０により切断されるので、内部回路８でノイズＮが生じても、このノイズＮの放射量を抑制できる。これによりノイズＮがアンテナ１４に入ることを防止できる。ノイズＮの無線通信部４の信号処理への影響を回避でき、同様にラジオ受信やＴＶ受信などの受信部における受信信号の再生処理への影響も回避できる。
【００２９】
(2) ノイズ伝達経路２２の切断により、コネクタ６などが内部回路８と切り離されるので、外部からのノイズＮの携帯端末装置２−１への侵入量を抑制できる。つまり、外部ノイズＮが内部回路８側の信号処理に影響することを回避できる。
【００３０】
〔第２の実施の形態〕
【００３１】
図３は、第２の実施の形態に係る携帯端末装置２−２を示している。この携帯端末装置２−２は本開示の電子装置の一例である。この携帯端末装置２−２において、図１と同一部分には同一符号を付してある。
【００３２】
この携帯端末装置２−２には、無線通信部４および制御部１２が含まれる。無線通信部４は、セルラ、ワンセグ、ＧＰＳ（Global Positioning System ）、ＷＬＡＮ（Wireless Local Area Network ）、 Bluetooth（登録商標）などの無線通信を行う回路のいずれであってもよい。アンテナ１４は、無線通信部４が行う既述の無線通信に用いられるアンテナのいずれでもよい。
【００３３】
この携帯端末装置２−２は複数の電子機器１８（図１）を接続する接続ポートとして複数のコネクタ６−１、６−２、６−３が含まれる。コネクタ６−１はたとえば、充電用コネクタである。コネクタ６−２はたとえば、ＵＳＢコネクタである。コネクタ６−３はたとえば、ＳＤカードコネクタである。接続ケーブル１６および電子機器１８は外部機器の一例である。コネクタ６−１、６−２、６−３にはクレードルなどの置き台にあるコネクタ部も含まれる。
【００３４】
各コネクタ６−１、６−２、６−３に対し、第１の外部機器制御部２４−１、第２の外部機器制御部２４−２、第３の外部機器制御部２４−３が備えられている。この外部機器制御部２４−１、２４−２、２４−３は、内部回路８の一例である。この外部機器制御部２４−１、２４−２、２４−３は、コネクタ６−１、６−２、６−３に接続される電子機器１８の制御を行う。外部機器制御部２４−１には、コネクタ６−１が内部配線２０−１で接続され、この内部配線２０−１にはスイッチ回路２６−１が介挿されている。外部機器制御部２４−２には、コネクタ６−２が内部配線２０−２で接続され、この内部配線２０−２にはスイッチ回路２６−２が介挿されている。また、外部機器制御部２４−３には、コネクタ６−３が内部配線２０−３で接続され、この内部配線２０−３にはスイッチ回路２６−３が介挿されている。
【００３５】
各スイッチ回路２６−１、２６−２、２６−３は、既述のスイッチ１０の一例である。各スイッチ回路２６−１、２６−２、２６−３はたとえば、スイッチＩＣ（Integrated Circuit）で構成すればよい。スイッチＩＣは、制御部１２を搭載するプリント配線基板に設置すればよい。
【００３６】
各外部機器制御部２４−１、２４−２、２４−３は制御部１２で制御される。制御部１２は外部機器制御部２４−１、２４−２、２４−３に対し、主制御部として機能する。スイッチ回路２６−１、２６−２、２６−３の切替え制御は制御部１２で行う。この切替え制御には、制御部１２の入出力に用いられるたとえば、ＧＰＩＯ（General Purpose Input/Output）などの汎用ＩＯ信号を用いる。
【００３７】
各スイッチ回路２６−１、２６−２、２６−３の切替え制御には、制御部１２がコネクタ６−１、６−２、６−３に接続された電子機器１８が非アクティブ状態であるか否かの判定を行う。制御部１２は、外部機器制御部２４−１、２４−２、２４−３より制御変更通知としてたとえば、切替えのトリガ通知を受け、このトリガ通知により非アクティブ状態であるか否かの判定を行う。この判定に基づき、制御部１２からスイッチ回路２６に切替え制御信号Ｓが発せられる。これにより、スイッチ回路２６が制御される。すなわち、電子機器１８が非アクティブ状態である場合に、スイッチ回路２６がＯＦＦ状態に制御される。
【００３８】
＜制御部１２の機能＞
【００３９】
図４のＡは、制御部１２に含まれる機能を示している。この制御部１２には、判定機能２８および切替え機能３０が含まれる。判定機能２８では、外部機器制御部２４−１からたとえば、既述のトリガ通知を受け、電子機器１８が非アクティブ状態であるか否かを判定する。切替え機能３０では、判定機能２８の判定結果を受け、電子機器１８が非アクティブ状態であれば、スイッチ回路２６をＯＦＦ状態に制御する切替え制御情報を生成する。この切替え制御情報により、スイッチ回路２６の切替え制御信号Ｓが得られ、スイッチ回路２６に対して出力される。
【００４０】
＜制御部１２のハードウェア＞
【００４１】
図４のＢは、制御部１２のハードウェアの一例を示している。この制御部１２はコンピュータで構成されている。この制御部１２には、プロセッサ３２、メモリ３４、ＲＡＭ（Random-Access Memory）３６、入出力部（Ｉ／Ｏ）３８が含まれ、これらはバス４０により接続されている。
【００４２】
プロセッサ３２は、ＯＳ（Operating System）や制御プログラムを実行し、既述の判定機能２８および切替え機能３０を実現する。メモリ３４にはＯＳや既述の制御プログラムが格納され、記録媒体で構成される。ＲＡＭ３６は、情報処理のワークエリアを構成する。Ｉ／Ｏ３８は、制御情報の入力や出力に用いられる。このＩ／Ｏ３８の入力にはトリガ通知が含まれる。また、このＩ／Ｏ３８の出力には切替え制御信号Ｓが含まれる。
【００４３】
斯かる構成の制御部１２によれば、既述の判定機能２８および切替え機能３０が実現され、電子機器１８が非アクティブ状態である場合に、スイッチ回路２６が遮断状態に制御される。これにより、ノイズ伝達経路２２を内部回路８である外部機器制御部２４−１から切り離すことができ、ノイズＮの放射を防止できる。
【００４４】
＜ＡＣアダプタが接続される場合＞
【００４５】
図５は、携帯端末装置２−２にＡＣアダプタが接続される場合を示している。図５において、図３と同一部分には同一符号を付してある。
【００４６】
コネクタ６−１には充電ケーブル４２によりＡＣアダプタ４４が接続されている。充電ケーブル４２は接続ケーブル１６の一例である。ＡＣアダプタ４４は電子機器１８の一例である。つまり、充電ケーブル４２およびＡＣアダプタ４４は外部機器の一例である。
【００４７】
携帯端末装置２−２にはバッテリ４６の充電回路４８が含まれる。この充電回路４８は携帯端末装置２−２の電源回路であり、既述の内部回路８の一例である。
【００４８】
充電回路４８とコネクタ６−１との間には充電ライン５０が接続されている。この充電ライン５０は既述の内部配線２０−１の一例である。この充電ライン５０にはスイッチ回路２６−１が介挿されている。
【００４９】
斯かる構成では、制御部１２がバッテリ４６の充電を監視する。バッテリ４６の充電が完了すると、制御部１２から切替え制御信号Ｓが出力される。充電完了した時点で、スイッチ回路２６が切り替えられ、充電ライン５０とコネクタ６−１とが切断される。これにより、充電回路４８から発せられるノイズＮがコネクタ６−１や充電ケーブル４２に漏洩することを防止できる。
【００５０】
図６は、スイッチ回路２６−１の構成例を示している。スイッチ回路２６−１はスイッチング素子５２を有する。このスイッチング素子５２には接点部５２−１、５２−２が含まれる。接点部５２−１には充電ライン５０により充電回路４８が接続されている。接点部５２−２は終端処理されている。終端５４は、オープンでもよいし、高抵抗を接続してもよい。
【００５１】
制御部１２は充電回路４８からバッテリ４６の充電開始およびその停止の通知を受ける。制御部１２では、充電開始またはその停止を判定し、充電停止時には切替え制御信号Ｓを出力する。この切替え制御信号Ｓにより、スイッチ回路２６−１のスイッチング素子５２が終端５４側に切り替えられる。これにより、充電ライン５０は充電回路４８から切り離され、充電ライン５０はオープン状態となる。
【００５２】
バッテリ４６の充電を開始する場合には、スイッチ回路２６−１のスイッチング素子５２の接点部５２−１側に切り替えることにより、充電ライン５０を閉じ、充電回路４８とコネクタ６−１とを接続すればよい。
【００５３】
図７は、スイッチ制御の処理手順を示している。この処理手順は本開示の制御プログラムまたは制御方法の一例である。
【００５４】
この処理手順は、充電ケーブル４２を装着すると充電を開始する（Ｓ２０１）。バッテリ４６の充電は充電回路４８で検出され、その検出情報が制御部１２に通知される。制御部１２は、充電回路４８の通知情報によりバッテリ４６が充電完了か否かを判断する（Ｓ２０２）。充電完了でなければ（Ｓ２０２−ＮＯ）、充電を継続する。
【００５５】
充電完了であれば（Ｓ２０２−ＹＥＳ）、充電停止を実行する（Ｓ２０３）。この充電停止に基づき、スイッチ回路２６−１を終端５４側に切り替える（Ｓ２０４）。これにより、充電ライン５０が切断され、充電回路４８がコネクタ６−１から切り離され、ノイズ伝達経路２２が遮断状態となる。
【００５６】
制御部１２は充電開始か否かを判断する（Ｓ２０５）。この充電開始の判断は、充電回路４８からの通知や、コネクタ６−１に対する充電ケーブル４２のプラグ接続の検知情報に基づき行えばよい。
【００５７】
充電開始でなければ（Ｓ２０５−ＮＯ）、充電停止状態が維持される。充電開始であれば（Ｓ２０５−ＹＥＳ）、スイッチ回路２６−１を充電回路４８側に切り替える（Ｓ２０６）。これにより、Ｓ２０１に戻り、バッテリ４６の充電が開始される。
【００５８】
また、コネクタ６−１から充電ケーブル４２が外された場合には、充電処理に備え、スイッチ回路２６−１を終端５４側に切り替えればよい。この場合、コネクタ６−１から充電ライン５０が切り離されるので、充電回路４８として用いられている電源回路から生成されるノイズＮのコネクタ６−１からの放射が防止される。
【００５９】
＜ＳＤカードが装着される場合の構成例＞
【００６０】
図８は、携帯端末装置２−２にＳＤカードが装着される場合の構成例を示している。図８において、図３と同一部分には同一符号を付してある。
【００６１】
コネクタ６−２はたとえば、ＳＤカードコネクタである。このコネクタ６−２にはＳＤカード５６が装着される。このＳＤカード５６は外部機器の一例である。
【００６２】
携帯端末装置２−２にはＳＤコントローラ回路５８が含まれる。このＳＤコントローラ回路５８はＳＤカード５６のアクセス制御を行う。このアクセス制御には情報の書き込みまたは読み込みなどの処理が含まれる。このＳＤコントローラ回路５８は既述の内部回路８の一例である。
【００６３】
このＳＤコントローラ回路５８とコネクタ６−２との間にはＳＤＩＯ（Secure Digital Input/Output ）ライン６０が接続されている。このＳＤＩＯライン６０は既述の内部配線２０−２の一例である。このＳＤＩＯライン６０にはスイッチ回路２６−２が介挿されている。
【００６４】
斯かる構成では、制御部１２がＳＤカード５６のアクセスを監視する。ＳＤカード５６のアクセスがなければ、制御部１２から切替え制御信号Ｓが出力される。アクセスの終了時点で、スイッチ回路２６−２が切り替えられ、ＳＤＩＯライン６０がコネクタ６−２から切断される。つまり、クロックやデータを通過させるＳＤＩＯライン６０が切断される。これにより、ＳＤコントローラ回路５８から発せられるノイズＮがコネクタ６−２に漏洩することを防止できる。
【００６５】
図９は、スイッチ回路２６−２の構成例を示している。スイッチ回路２６−２は既述したように、スイッチング素子５２を有する。このスイッチング素子５２には接点部５２−１、５２−２が含まれる。接点部５２−１にはＳＤＩＯライン６０によりＳＤコントローラ回路５８が接続されている。接点部５２−２は終端処理されている。終端５４は既述したように、オープンでもよいし、高抵抗を接続してもよい。
【００６６】
制御部１２にはＳＤコントローラ回路５８からＳＤカード５６のアクセス開始または停止検出信号が通知される。制御部１２では、この通知に基づき、ＳＤカード５６のアクセス開始または停止を判定し、アクセス停止時には切替え制御信号Ｓを出力する。スイッチ回路２６−２はこの切替え制御信号Ｓを受け、ＳＤカード５６のアクセスがない場合にはスイッチ回路２６のスイッチング素子５２が終端５４側に切り替えられる。これにより、ＳＤＩＯライン６０はＳＤコントローラ回路５８から切り離され、ＳＤＩＯライン６０はオープン状態となる。
【００６７】
ＳＤカード５６のアクセスを開始する場合には、スイッチ回路２６−２のスイッチング素子５２の接点部５２−１側に切り替えることにより、ＳＤＩＯライン６０を閉じ、ＳＤコントローラ回路５８とコネクタ６−２とを接続すればよい。
【００６８】
図１０は、スイッチ制御の処理手順を示している。この処理手順は本開示の制御プログラムまたは制御方法の一例である。
【００６９】
この処理手順は、ＳＤカード５６の装着により、ＳＤカード５６との通信を開始する。ＳＤＩＯ通信を監視する（Ｓ２１１）。制御部１２は、ＳＤＩＯが通信停止か否かを判断する（Ｓ２１２）。通信停止でなければ（Ｓ２１２−ＮＯ）、ＳＤＩＯ通信を継続する。
【００７０】
通信停止であれば（Ｓ２１２−ＹＥＳ）、通信停止が実行され、スイッチ回路２６−２を終端５４側に切り替える（Ｓ２１３）。これにより、ＳＤＩＯライン６０が切断され、ＳＤコントローラ回路５８がコネクタ６−２から切り離され、ノイズ伝達経路２２が遮断状態となる。
【００７１】
この状態で制御部１２はＳＤＩＯ通信を開始したか否かを判断する（Ｓ２１４）。通信開始でなければ（Ｓ２１４−ＮＯ）、ＳＤＩＯ通信の停止状態を継続する。
【００７２】
通信開始であれば（Ｓ２１４−ＹＥＳ）、スイッチ回路２６−２をＳＤコントローラ回路５８側に切り替える（Ｓ２１５）。これにより、Ｓ２１１に戻り、ＳＤＩＯ通信が実行される。
【００７３】
＜ＰＣが接続される場合の構成例＞
【００７４】
図１１は、携帯端末装置２−２にＰＣ（パーソナルコンピュータ）が接続される場合を示している。図１１において図３と同一部分には同一符号を付してある。
【００７５】
コネクタ６−３はたとえば、ＵＳＢコネクタである。このコネクタ６−３にはＵＳＢケーブル６２によりＰＣ６４が接続される。このＵＳＢケーブル６２およびＰＣ６４は外部機器の一例である。
【００７６】
携帯端末装置２−２には既述の充電回路４８およびＵＳＢコントローラ回路６６が含まれる。このＵＳＢコントローラ回路６６はＵＳＢケーブル６２により接続されるＰＣ６４のアクセスを制御する。この制御には情報通信などの処理が含まれる。このＵＳＢコントローラ回路６６は既述の内部回路８の一例である。
【００７７】
このＵＳＢコントローラ回路６６とコネクタ６−３との間にはＵＳＢライン６８−１が接続されている。充電回路４８とコネクタ６−３との間にはＵＳＢ充電ライン６８−２が接続されている。ＵＳＢライン６８−１およびＵＳＢ充電ライン６８−２は既述の内部配線２０−３の一例である。ＵＳＢライン６８−１およびＵＳＢ充電ライン６８−２にはスイッチ回路２６−３が介挿されている。この場合、ＰＣ６４はバッテリ４６の充電のための電源であり、ＵＳＢ充電ライン６８−２を介して充電回路４８が接続されている。
【００７８】
斯かる構成では、制御部１２がＰＣ６４とのＵＳＢ通信や充電回路４８の充電動作を監視する。ＵＳＢ通信または充電が停止していれば、制御部１２から切替え制御信号Ｓが出力される。ＵＳＢ通信の終了時点で、スイッチ回路２６−３が切り替えられ、ＵＳＢライン６８−１、ＵＳＢ充電ライン６８−２のいずれかまたは双方がコネクタ６−３から切断される。つまり、クロックやデータを通過させるＵＳＢライン６８−１または充電に用いられるＵＳＢ充電ライン６８−２が切断される。これにより、ＵＳＢコントローラ回路６６や充電回路４８から発せられるノイズＮがコネクタ６−３に漏洩することを防止できる。
【００７９】
図１２は、スイッチ回路２６−３の構成例を示している。スイッチ回路２６−３はＵＳＢコントローラ回路６６に対応するスイッチング素子５２Ａ、充電回路４８に対応するスイッチング素子５２Ｂを有する。各スイッチング素子５２Ａ、５２Ｂには接点部５２−１、５２−２が含まれる。スイッチング素子５２Ａの接点部５２−１にはＵＳＢライン６８−１によりＵＳＢコントローラ回路６６が接続されている。スイッチング素子５２Ｂの接点部５２−１にはＵＳＢ充電ライン６８−２により充電回路４８が接続されている。各スイッチング素子５２Ａ、５２Ｂの接点部５２−２は終端処理されている。終端５４は既述したように、オープンでもよいし、高抵抗を接続してもよい。
【００８０】
ＵＳＢコントローラ回路６６ではＵＳＢ通信の開始または停止が検出される。充電回路４８ではＵＳＢ接続による充電または非充電（充電停止）が検出される。制御部１２は、ＵＳＢコントローラ回路６６からＵＳＢ通信の開始または停止が通知され、充電回路４８から充電または充電停止が通知される。
【００８１】
制御部１２では、各通知に基づき、ＵＳＢ通信または充電の停止時、切替え制御信号Ｓを出力する。スイッチ回路２６−３はこの切替え制御信号Ｓを受け、ＵＳＢ通信または充電停止の場合にはスイッチ回路２６−３のスイッチング素子５２Ａ、５２Ｂを終端５４側に切り替える。つまり、ＵＳＢライン６８−１からＵＳＢコントローラ回路６６またはＵＳＢ充電ライン６８−２から充電回路４８が切り離されることにより、ＵＳＢライン６８−１またはＵＳＢ充電ライン６８−２がオープン状態となる。したがって、ＵＳＢライン６８−１およびＵＳＢ充電ライン６８−２にコネクタ６−３を介して接続されたＵＳＢケーブル６２から充電回路４８やＵＳＢコントローラ回路６６が切り離される。この結果、ノイズ電送経路２２が遮断状態となり、充電回路４８またはＵＳＢコントローラ回路６６で生成されたノイズＮの漏洩が防止される。
【００８２】
なお、充電時には、スイッチ回路２６−３のスイッチング素子５２Ｂを充電回路４８側に切り替える。ＰＣ６４からＵＳＢケーブル６２に出力される直流出力が充電回路４８を通してバッテリ４６に供給される。これにより、バッテリ４６が充電される。
【００８３】
図１３は、ＵＳＢ通信に関するスイッチ制御の処理手順を示している。この処理手順は本開示の制御プログラムまたは制御方法の一例である。
【００８４】
この処理手順は、コネクタ６−３へのＵＳＢケーブル６２の装着により、ＵＳＢ通信が開始される。制御部１２はこのＵＳＢ通信を監視する（Ｓ２２１）。制御部１２は、通信停止か否かを判断する（Ｓ２２２）。通信停止でなければ（Ｓ２２２−ＮＯ）、通信を継続する。
【００８５】
通信停止であれば（Ｓ２２２−ＹＥＳ）、通信停止が実行され、スイッチ回路２６−３を終端５４側に切り替える（Ｓ２２３）。これにより、ＵＳＢライン６８−１が切断され、ＵＳＢコントローラ回路６６がコネクタ６−３から切り離され、ノイズ伝達経路２２が遮断状態となる。
【００８６】
この状態で制御部１２はＵＳＢ通信の開始を判断する（Ｓ２２４）。通信開始でなければ（Ｓ２２４−ＮＯ）、通信停止状態を継続する。
【００８７】
通信開始であれば（Ｓ２２４−ＹＥＳ）、スイッチ回路２６−３をＵＳＢコントローラ回路６６側に切り替える（Ｓ２２５）。これにより、Ｓ２２１に戻り、ＵＳＢ通信が実行される。
【００８８】
図１４は、ＵＳＢ充電に関するスイッチ制御の処理手順を示している。この処理手順は本開示の制御プログラムまたは制御方法の一例である。
【００８９】
この処理手順は、コネクタ６−３へのＵＳＢケーブル６２の装着により、ＵＳＢ通信が開始される。制御部１２はＵＳＢ通信を監視する（Ｓ２３１）。制御部１２は、ＵＳＢ充電が完了したか否かを判断する（Ｓ２３２）。充電完了でなければ（Ｓ２３２−ＮＯ）、ＵＳＢ充電を継続する。
【００９０】
ＵＳＢ充電完了であれば（Ｓ２３２−ＹＥＳ）、充電停止とする（Ｓ２３３）。この充電停止により、スイッチ回路２６−３を終端５４側に切り替える（Ｓ２３４）。これにより、ＵＳＢ充電ライン６８−２が切断され、充電回路４８がコネクタ６−３から切り離され、ノイズ伝達経路２２が遮断状態となる。
【００９１】
この状態で制御部１２はＵＳＢ充電の開始を判断する（Ｓ２３５）。充電開始でなければ（Ｓ２３５−ＮＯ）、充電停止状態を継続する。
【００９２】
充電開始であれば（Ｓ２３５−ＹＥＳ）、スイッチ回路２６−３を充電回路４８側に切り替える（Ｓ２３６）。これにより、Ｓ２３１に戻り、ＵＳＢ通信が実行される。
【００９３】
＜第２の実施の形態の効果＞
【００９４】
(1) 電子機器１８が非アクティブ状態にあれば、スイッチ回路２６−１、２６−２、２６−３により内部配線２０−１、２０−２、２０−３が切断される。つまり、ノイズ伝達経路２２が切断され、内部配線２０−１、２０−２、２０−３からコネクタ６−１、６−２、６−３や接続ケーブル１６などのノイズ放射源が切り離される。充電回路４８、ＵＳＢコントローラ回路６６などの外部機器制御部２４−１、２４−２、２４−３の内部回路８や制御部１２などからノイズＮが生じても、携帯端末装置２−２から外部へのノイズ放射量を抑えることができる。
【００９５】
(2) たとえば、携帯端末装置２−２に搭載されたＴＶ受像部でワンセグ放送を視聴する場合であっても、ノイズＮの影響を低減でき、ノイズＮによる音質や映像の劣化を防止できる。さらに言及すれば、クレードルなどの置き台や充電ケーブルの接続時、ノイズＮによる受信信号処理の劣化や、放送受信の劣化を防止できる。
【００９６】
〔他の実施の形態〕
【００９７】
(1) 上記実施の形態では携帯端末装置２−１、２−２を例示したが、本開示の電子装置にはこのような携帯端末装置のほか、クレードルなどの電子機器、ＰＣ、ＴＶ受像機、電子カメラなどが含まれる。つまり、電子装置はコネクタを備えて外部機器と接続されるものであればいずれでもよい。
【００９８】
(2) スイッチ１０を制御する制御部１２は携帯端末装置２−１、２−２の内部側回路で構成したが、外部に接続される電子機器１８側に制御部１２を備える構成としてもよい。つまり、スイッチ１０を外部から操作し、ノイズ伝送経路２２から内部回路８を切断する構成であればよい。
【００９９】
(3) 第２の実施の形態のスイッチ回路２６−２（図９）の構成について、図１５に示すように、ＳＤＩＯライン６０にスイッチング素子５２を接続し、外部機器が非アクティブ状態にあるとき、ＳＤＩＯライン６０にパスコン７０を接続する構成としてもよい。つまり、ＳＤＩＯなどの伝送速度の速いラインでは、パスコン７０にＥＭＩ（Electro Magnetic Interference ：電磁妨害）対策用のパスコンを用いて切り替える構成でもよい。このパスコン７０はバイパスコンデンサである。このパスコン７０は、ＧＮＤ（グランド）に対する交流的なインピーダンス低下機能や、ノイズを遮断するフィルタリング機能を有する。そして、外部機器が非アクティブ状態にあれば、スイッチング素子５２をオープン７２側に切り替えればよい。斯かる構成によれば、外部機器が非アクティブ状態にあるとき、ノイズ伝送経路２２を遮断することができ、ノイズ放射量を抑制できる。また、斯かる構成は、ＳＤＩＯライン６０がオープン状態または閉じた状態に移行した場合にもＳＤＩＯ通信へ影響することはない。
【０１００】
(4) 第２の実施の形態のスイッチ回路２６−３（図１２）の構成について、図１６に示すように、ＵＳＢライン６８−１にスイッチング素子５２を接続し、ＰＣ６４が非アクティブ状態にあるとき、ＵＳＢライン６８−１にパスコン７０を接続する構成としてもよい。この場合、ＵＳＢなどの伝送速度の速いラインでは、ＳＤＩＯライン６０と同様にＥＭＩ対策用のパスコンを用いて切り替える構成でもよいし、オープンに切り替える構成としてもよい。斯かる構成としても、ＰＣ６４が非アクティブ状態にあるとき、ノイズ伝送経路２２を遮断でき、ノイズ放射量を抑制できる。また、斯かる構成は、ＰＣ６４が非アクティブ状態またはアクティブ状態に移行してもＵＳＢ通信へ影響することはない。
【０１０１】
以上説明したように、本開示の技術に関し、最も好ましい実施の形態などについて説明した。本開示の技術は、上記記載に限定されるものではない。特許請求の範囲に記載され、または発明を実施するための形態に開示された発明の要旨に基づき、当業者において様々な変形や変更が可能である。斯かる変形や変更が、本開示の技術の範囲に含まれることは言うまでもない。
【符号の説明】
【０１０２】
２−１、２−２  携帯端末装置
４  無線通信部
６、６−１、６−２、６−３  コネクタ
８  内部回路
１０  スイッチ
１２  制御部
１４  アンテナ
１６  接続ケーブル
１８  電子機器
２０、２０−１、２０−２、２０−３  内部配線
２２  ノイズ伝達経路
２４−１  第１の外部機器制御部
２４−２  第２の外部機器制御部
２４−３  第３の外部機器制御部
２６、２６−１、２６−２、２６−３  スイッチ回路
２８  判定機能
３０  切替え機能
３２  プロセッサ
３４  メモリ
３６  ＲＡＭ
３８  入出力部
４０  バス
４２  充電ケーブル
４４  ＡＣアダプタ
４６  バッテリ
４８  充電回路
５０  充電ライン
５２  スイッチング素子
５２−１、５２−２  接点部
５２Ａ、５２Ｂ  スイッチング素子
５４  終端
５６  ＳＤカード
５８  ＳＤコントローラ回路
６０  ＳＤＩＯライン
６２  ＵＳＢケーブル
６４  ＰＣ
６６  ＵＳＢコントローラ回路
６８−１  ＵＳＢライン
６８−２  ＵＳＢ充電ライン
７０  パスコン
７２  オープン
【図１】
2014146952.tif 000003
【図２】
2014146952.tif 000004
【図３】
2014146952.tif 000005
【図４】
2014146952.tif 000006
【図５】
2014146952.tif 000007
【図６】
2014146952.tif 000008
【図７】
2014146952.tif 000009
【図８】
2014146952.tif 000010
【図９】
2014146952.tif 000011
【図１０】
2014146952.tif 000012
【図１１】
2014146952.tif 000013
【図１２】
2014146952.tif 000014
【図１３】
2014146952.tif 000015
【図１４】
2014146952.tif 000016
【図１５】
2014146952.tif 000017
【図１６】
2014146952.tif 000018
【図１７】
2014146952.tif 000019